(57)【要約】【課題】乾式施工における工事期間を短縮し、層間騒音の伝達を遮断可能にした乾式温水暖房構造を提供すること。【解決手段】  床面による層間騒音の伝達を遮断するためにショックアブソーバーを床面に直接取り付けないでスチールワイヤーを取り付け、その上にショックアブソーバーを取り付けて、ショックアブソーバーと床面の間の接着施工に所要される時間を減らして乾式施工における工事期間を短縮し、層間騒音の伝達を遮断可能にする乾式温水暖房構造。【選択図】図１
2010248868.tif 000002
【特許請求の範囲】
【請求項１】
建物内室の乾式温水暖房構造物において、壁面の下段に床暖房の床仕上げ基準線が上段が合わせられ、壁面に密着して固定されるように取り付けられるブラケット固定フレームと；
前記ブラケット固定フレームの前面に取り付けられ、水平調節ローラーを具備する多数のブラケットと；
前記ブラケットの上面に取り付けられる補助ブラケットと；
前記補助ブラケットの上面に取り付けられる角フレームと；
施工される建物の内室コーナーの床に密着するように取り付けられる２つ以上のスチールワイヤーソケットと；
前記第１スチールワイヤーソケットに片方の端を固定され、施工済みのブラケットに組み立てられている水平調節ローラーに連結されて床面にジグザグ状に取り付けられ、中間に張力を調節できる張力調節装置を具備し、他側が施工済みの第２スチールワイヤーソケットに固定するように取り付けられるスチールワイヤーと；
前記スチールワイヤーの上面に取り付けられるショックアブソーバーと；
前記ショックアブソーバーの上段に取り付けられる水平梁フレームと；
前記水平梁フレームの側面に形成されている突起に掛けて取り付けられる騒音断熱材と；
前記水平梁フレームの上面に取り付けられる床フレームと；
前記角フレームの上面に施工され、間に暖房パイプが挿入される溝が形成された黄土ブロックと；
前記角フレームの上面に取り付けられる石膏ボード固定フレームと；
前記石膏ボード固定フレーム上部の溝に取り付けられる石膏ボードと；
前記床フレームと黄土ブロック上面の溝に取り付けられる暖房パイプと；
前記床フレームが取り付けられた床暖房の床固定フレームの上面に取り付けられる床暖房の床と；
前記石膏ボード固定フレームの前面に取り付けられる仕上げフレームから構成されることを特徴とする、建物内室の乾式温水暖房構造。
【請求項２】
前記ブラケット固定フレームは建物の壁面と密着される基準面と建物の床と密着される床面で構成され、前記基準面の上部には所定の間隔で一定にビス孔が形成されており、前記ビス孔の下側にブラケットを支えるための１セットのガイドレールが形成されており、前記ガイドレールは基準面から前方に突出されて互いに対向する方向に折り曲げられて基準面との間に対向する溝を形成する形で構成されており、床面にもブラケット固定フレームを床に固定するためのビスが貫通する複数のビス孔が形成され、床面の上部にブラケットを支えるための１セットのガイドレールが形成されており、前記ガイドレールは床面から上向きに突出されて互いに対向する方向に折り曲げられて床面との間に対向する溝を形成する形で成ることを特徴とする、請求項１に記載の建物内室の乾式温水暖房構造。
【請求項３】
前記ブラケット固定フレームのガイドレールの間には少なくても２つ以上のビードを形成し、前記ビードが形成された下部にはウレタンワイヤーが挿入され、軽量アルミニウムで製作され、所定の枠で連続的に生産可能なことを特徴とする、請求項２に記載の建物内室の乾式温水暖房構造。
【請求項４】
前記ブラケットはブラケット固定フレームと共に折り曲げられており、壁面の上部には水平を調節するための長孔が形成されており、前記長孔の下側へとブラケット固定フレームの基準面に形成されたガイドレールに嵌められる突出部を具備しており、床面の下部には水平調節ローラーが設置されることを特徴とする、請求項１に記載の建物内室の乾式温水暖房構造。
【請求項５】
前記ブラケットに取り付けられる水平調節ローラーは床面の上部に突出された水平調節ボルトによって上下に移動できるように設置されることを特徴とする、請求項４に記載の建物内室の乾式温水暖房構造。
【請求項６】
前記補助ブラケットは多段で折り曲げられた形で前段と後段には溝が形成されており、上面には前方を向かうように折り曲げられて形のガイドレールが形成され、前記ガイドレールと補助ブラケットの上面の間に係止溝が形成されており、補助ブラケットの下側へと折り曲げられた線端には前方に突出突起が形成されたこと特徴とする、請求項１に記載の建物内室の乾式温水暖房構造。
【請求項７】
前記角フレームは上面の終端には石膏ボード固定フレームを嵌め込めるガイドレールを形成して前記ガイドレールの内側に係止溝が形成され、ガイドレールは前方に向かって係止溝が形成され、線端は順に折り曲げられて基板突起が形成されており、下段には床面と離隔されて突出される突出突起を形成して前記突出突起と床面の間に係止溝が形成されたことを特徴とする、請求項１に記載の建物内室の乾式温水暖房構造。
【請求項８】
前記スチールワイヤーソケットは９０度で折り曲げられたアングルの床にアンカーボルトが挿入される孔が形成されており、上向きに折り曲げられた面にはコレットが貫通されて取り付けられるものであり、前記コレットは内側でナットで固定され、締めナットによって緩めたり締めたりできることを特徴とする、請求項１に記載の建物内室の乾式温水暖房構造。
【請求項９】
前記水平梁フレームは、コの字の形で構成され、両側面の側壁の外側の上部には係止溝を形成し、前記係止溝から所定間隔を隔てた下側には突き出たリブを形成し、前記側壁の内側には溝を形成したことを特徴とする、請求項１に記載の建物内室の乾式温水暖房構造。
【請求項１０】
前記水平梁フレームの上面には縦方向に三角状の溝を形成し、前記溝にウレタンワイヤーが挿入されることを特徴とする、請求項９に記載の建物内室の乾式温水暖房構造。
【請求項１１】
前記ショックアブソーバーは四角状の敷板の上に円筒型の支持口が形成され、前記支持口の内部下段の周辺には内側へ突き出る突起が形成され、前記突起にはウレタンリングが乗せられ、前記ウレタンリングの上段にステンレス板と前記ステンレス板の上面には上広下狭の漏斗状のウレタンパッキングで構成される緩衝装置が乗せられ、前記緩衝装置の上面にはステンレス板が乗せられ、前記ステンレス板の上面にはスナップリングと平らな形のウレタンパッキングが組み立てられ、前記円筒型の支持口の外面には所定の間隔で離隔された突出枠が少なくても２つ以上具備されることを特徴とする、請求項１に記載の建物内室の乾式温水暖房構造。
【請求項１２】
前記ショックアブソーバーは、敷板の下部には前記スチールワイヤーと接触するように半円型の溝が形成されることを特徴とする、請求項１１に記載の建物内室の乾式温水暖房構造。
【請求項１３】
前記ショックアブソーバーの支持口の内部に少なくても２つ以上の緩衝装置を具備することを特徴とする、請求項１２に記載の建物内室の乾式温水暖房構造。
【請求項１４】
前記水平梁フレームはコの字の形で構成され、両側面の側壁の外側の上部には係止溝を形成し、前記係止溝から所定間隔を隔てた下側には突き出たリブを形成し、後述の騒音断熱材の台にするための基板突起が形成され、前記側壁の内側には溝を形成したことを特徴とする、請求項１に記載の建物内室の乾式温水暖房構造。
【請求項１５】
前記水平梁フレームの上面には縦方向に三角状の溝を形成し、前記溝にウレタンワイヤーが挿入されることを特徴とする、請求項１３に記載の建物内室の乾式温水暖房構造。
【請求項１６】
前記床フレームは床面から上側に伸びた突出突起を具備し、前記突出突起の間から斜め上向きに伸びた引掛部が形成され、前記引掛部の下部には係止溝が形成されることを特徴とする、請求項１に記載の建物内室の乾式温水暖房構造。
【請求項１７】
前記床フレームの前方の突出部には三角状の溝が形成され、前記溝にはウレタンワイヤーが挿入される構造で構成されることを特徴とする、請求項１５に記載の建物内室の乾式温水暖房構造。
【請求項１８】
前記床フレームはプレートの形態で構成されるもので、プレートの中間に暖房パイプが挿入される溝が形成されており、前方と後方には他の床フレームと結合するための結合口を具備し、前方の結合口は上面より低い溝の形になり、溝の側壁には中間から斜め上向きに伸びた引掛部が形成され、前記引掛部の下部には係止溝が形成され、後方の結合口は前記前方の結合口に形成された引掛部が嵌め込められる溝の形態で構成されることを特徴とする、請求項１に記載の建物内室の乾式温水暖房構造。
【請求項１９】
前記床フレームの前方の突出部には三角状の溝が形成され、前記溝にはウレタンワイヤーが挿入される構造になっており、後方の結合口の突出部の端部にも溝が形成され、前記溝にはウレタンワイヤーが挿入されることを特徴とする、請求項１７に記載の建物内室の乾式温水暖房構造。
【請求項２０】
前記黄土ブロックの上面に暖房パイプを嵌め込んで設置できる溝は半円型で形成されることを特徴とする、請求項１に記載の建物内室の乾式温水暖房構造。
【請求項２１】
前記暖房パイプは合成樹脂素材となっており、暖房パイプの上面には暖房パイプ固定キャップが床フレームの係止溝に突出突起を嵌めて固定されることを特徴とする、請求項１に記載の建物内室の乾式温水暖房構造。
【請求項２２】
前記石膏ボード固定フレームは上部側には石膏ボードを嵌め込める溝があり、前面には仕上げフレームを嵌め込める係止溝があり、係止溝の前面には突出突起があり、下段には床暖房の床の設置基準突起と角フレームに組み立てられる突出突起とが形成されることを特徴とする、請求項１に記載の建物内室の乾式温水暖房構造。
【請求項２３】
前記床暖房の床固定フレームはＩビーム状に構成され、上部には三角状の溝を形成し、前記溝にウレタンパッキングが嵌め込められることを特徴とする、請求項１に記載の建物内室の乾式温水暖房構造。
【請求項２４】
前記床暖房の床木材及び人造ストーンで形成され、
片方には縦方向に係止溝が形成され、他方の壁には突起が形成されることを特徴とする、請求項１に記載の建物内室の乾式温水暖房構造。
【請求項２５】
前記仕上げフレームは石膏ボード固定フレームの前面上段に係止溝と下段の係止溝に嵌め込められる突出突起とがあり、上段には係止溝と突出突起が形成されたキャップを組み立てられる突出突起と基板突起が形成されることを特徴とする、請求項１に記載の建物内室の乾式温水暖房構造。
【請求項２６】
前記床フレームと床暖房（オンドル）の床の間に薄板の水脈防止板をさらに具備することを特徴とする、請求項１〜請求項２２のいずれか１項に記載の建物内室の乾式温水暖房構造。
【請求項２７】
建物内室の乾式温水暖房構造物を施工するにおいて、
ブラケット固定フレームに複数個のブラケットをブラケット固定フレームに嵌めて組み立てた後、室内壁面とスラブ床面に固定する工程と；
前記ブラケットの上部に補助ブラケットを設置する工程と；
前記補助ブラケットの上部に角フレームを組み立てる工程と；
建物内室にスチールワイヤーを設置する工程と；
水平梁フレームにショックアブソーバーを組立て、角フレームに所定の間隔で設置する工程と；
ショックアブソーバーを移動してスチールワイヤーが交差し合う地点の上部に結合する工程と
前記水平梁フレームの間に騒音断熱材を設置する工程と；
以後、角フレームの上部に黄土ブロックと床フレーム及び床フレームを取り付ける工程と
床フレームの設置が完了したら、暖房パイプを取り付ける工程と
以後、角フレームに石膏ボード固定フレームを組み立てる工程と；
以後、床フレームの上面に床暖房の床を設置する工程と；
以後、仕上げフレームを石膏ボード固定フレームに設置する工程から構成されることを特徴とする建物内室の乾式温水暖房の施工方法。
【請求項２８】
前記床フレームと床暖房の床の間に薄板の水脈防止板を取り付ける工程をさらに具備することを特徴とする、請求項２７に記載の建物内室の乾式温水暖房の施工方法。
【発明の詳細な説明】
【技術分野】
【０００１】
本発明は、建物内室の乾式温水暖房構造物及びその施工方法（Ｔｈｅ  Ｈｅａｔｉｎｇ  Ｓｔｒｕｃｔｕｒｅ  ｂｙ  ｗａｒｍ  ｗａｔｅｒ  ｗｈｉｃｈ  ｕｓｉｎｇ  ｏｆ  ｄｒｙ  ｐｒｏｃｅｓｓ  ａｎｄ  ｔｈｅ  ｃｏｎｓｔｒｕｃｔｉｏｎ  ｍｅｔｈｏｄ  ｔｈｅｒｅｏｆ）に関する。
【背景技術】
【０００２】
従来の建物内室の温水暖房システムにおいて仕上げ用モルタルを利用する湿式暖房は熟練された左官職人が必要なのは勿論、工事期間が長くなり、また急速暖房ができなくて熱効率が低下する短所と、施工過程で床暖房（オンドル）の床面の衝撃が床スラブに直接伝達されるため建物の層間騒音の減少には限界があった。
【０００３】
上記問題を改善するために最近は乾式暖房方式が施工されており、これらの施工方法の中には本出願人が以前出願して登録番号第１０−７６６４０２号として登録された構造物及び施工方法が特許文献１に掲載されている。
【先行技術文献】
【特許文献】
【０００４】
【特許文献２】大韓民国特許第７６６４０２号明細書
【発明の概要】
【発明が解決しようとする課題】
【０００５】
しかし、上記の既存登録は湿式に比べると迅速暖房は可能であったが、暖房持続力が落ちる問題が発生しており、構造物をショックアブソーバーに設置することによって層間騒音を緩和したが、騒音緩和の程度が微々たるもので、床フレームを上・下に二重で取り付けるため構造物の高さが高くなって建築費が多く所要され、床フレーム（下）を組み立てる過程で固定用ピースが緩むなど不安全な問題があった。
【０００６】
また、特許文献１に記載の技術における床暖房（オンドル）の床の施工方法は床フレームを突出突起の間の溝を嵌めて取り付ける方法であり、瑕疵補修の際には片方でしか解体ができないため保守作業が遅くなるなどの問題があった。
【０００７】
そこで、本発明は、上記問題に鑑みてなされたものであり、本発明の目的とするところは、特許文献１に記載の技術に基づいて改善した改良発明に関するものであって、床面による層間騒音の伝達を遮断するためにショックアブソーバーを床面に直接取り付けないでスチールワイヤーを取り付け、その上にショックアブソーバーを取り付けて、ショックアブソーバーと床面の間の接着施工に所要される時間を減らして乾式施工における工事期間を短縮し、層間騒音の伝達を遮断可能にすることである。
【０００８】
また、本発明の他の目的は、床面の施工を容易にして床構造物の断面の高さを最小化するために、既存登録済みの床フレームのように上・下に取り付けず、１つの床フレームで圧縮設置して層間の有効性を確保して建築費の節減を可能にすることにある。
【０００９】
また、本発明の更に他の目的は、衝撃による層間の響きと騒音を遮断するために、床フレームを固定クリップで固定して堅固に施工することで、既存登録済みの床フレームが衝撃によってピースが緩む不安全な施工を解決し、施工過程から層間騒音の発生を低減可能にすることにある。
【００１０】
また、本発明の更に他の目的は、既存登録済みの床暖房（オンドル）の床の施工方法は床フレームの突出突起の間の溝を嵌めて取り付ける方法であり、瑕疵補修の際には片方でしか解体ができなかった。上記課題を解決するため、床暖房（オンドル）の床の両側の溝に固定フレームを嵌めて取り付けることによって、瑕疵補修の際に両側からの解体を可能にすることにある。
【００１１】
また、本発明の更に他の目的は、既存登録済みの乾式構造は湿式と比べて室内温度の上昇が早い一方、上昇された温度を持続させる持続力が足りない問題があったが、乾式床暖房（オンドル）の床の角の四方に溝が彫られた黄土ブロックを設置し、黄土ブロックの溝に暖房パイプを取り付け、室内温度を持続できるようにすることにある。
【００１２】
また、本発明の更に他の目的は、比重の低い非鉄金属であるアルミニウム素材を使用して構造物を軽量化することによって、建築物の全体的な荷重を減らせるようにすることにある。
本発明のもう一つの目的は、乾式組立施工を使用することによって、工事期間を短縮可能にすることにある。
【００１３】
また、本発明の更に他の目的は、壁面の施工を容易にしながら仕上げ処理を迅速かつ美麗にできるようにすることにある。
【課題を解決するための手段】
【００１４】
上記課題を解決するために、本発明のある観点によれば、本発明の床面施工は、出願人の既存登録済みの発明の通り乾式施工方法によって施工されるものであり、室内壁面の下段に床暖房（オンドル）の床仕上げ基準線を設定し、四面に上記の水平墨出し線に上段が合わせられ、壁面に密着して固定されるように取り付けられるブラケット固定フレームと；上記のブラケット固定フレームの前面に取り付けられ、水平調節ローラーを具備する多数のブラケットと；上記のブラケットの上面に取り付けられる補助ブラケットと；上記の補助ブラケットの上面に取り付けられる角フレームと；施工される建物の内室コーナーの床に密着するように取り付けられる２つ以上のスチールワイヤーソケットと；上記の第１スチールワイヤーソケットに片方の端を固定され、施工済みのブラケットに組み立てられている水平調節ローラーに連結されて床面にジグザグ状に取り付けられ、中間に張力を調節できる張力調節装置を具備し、他方が施工済みの第２スチールワイヤーソケットに固定されるように取り付けられるスチールワイヤーと；上記のスチールワイヤーの上面に取り付けられるショックアブソーバーと；上記のショックアブソーバーの上段に取り付けられる水平梁フレームと；上記の水平梁フレームの側面に形成されている突起に掛けて取り付けられる騒音断熱材と；上記の水平梁フレームの上面に取り付けられ、暖房パイプが挿入される溝を具備する床フレームと；上記の角フレームの上面に施工され、暖房パイプが挿入される溝を具備する黄土ブロックと；上記の角フレームの上部に取り付けられる石膏ボード固定フレームと；上記の石膏ボード固定フレームに取り付けられる石膏ボードと；上記の床フレームと黄土ブロック上面の溝に取り付けられる暖房パイプと；上記の床フレームの上面に取り付けられる水脈防止板と；上記の床フレームの取り付けられた床暖房（オンドル）の床固定フレームに固定されて水脈防止板の上面に取り付けられる床暖房（オンドル）の床と；上記の石膏ボード固定フレームの前面に取り付けられる仕上げフレームで構成されることを特徴とする建物内室の乾式温水暖房構造物及びその施工方法が提供される。
【００１５】
また、上記課題を解決するために、本発明の別の観点によれば、室内壁面の下段に設定された基準点に沿って四面に水平に引いた墨出し線を基準にして、横方向へとブラケット固定フレームの上段面を墨出し線に一致するように合わせてから、四方へと壁面と床面に密着させてブラケット固定フレーム（Ａ）を固定させる工程と；上記の工程によって固定されたブラケット固定フレーム（Ａ）の前面に所定の間隔で多数のブラケット（Ｂ）を設置する工程と；上記工程後、ブラケット（Ｂ）の上面に補助ブラケット（Ｅ）を設置する工程と；上記工程後、補助ブラケット（Ｅ）の上面に角フレーム（Ｆ）を取り付け、水平を合わせる工程と；上記工程後、建物の床面の対角線方向にコーナー２ヵ所に位置を選定し、スチールワイヤーソケット（Ｇ）の底面を密着させて固定設置する工程と；上記工程後、第１スチールワイヤーソケット（Ｇ）にスチールワイヤー（Ｈ）の片方の端を固定されるように取り付け、スチールワイヤー（Ｈ）は施工済みの多数のブラケット（Ｂ）に組み立てられている水平調節ローラー（Ｄ）と連結してジグザグ状に建物の床に取り付けられ、スチールワイヤー（Ｈ）の他端は床に施工済みの第２スチールワイヤーソケット（Ｇ’）に固定して張力を調節するスチールワイヤー（Ｈ）の組立工程と；上記工程後、水平梁フレーム（Ｌ）に組み立てられ、スチールワイヤー（Ｈ）の上面にショックアブソーバー（Ｉ）を設置する工程と；上記工程後、水平梁フレーム（Ｌ）の間に騒音断熱材（Ｍ）を設置する工程と；上記工程後、床フレーム（Ｏ）を角フレーム（Ｆ）の上面に組み立てた後、別の床フレーム（Ｎ）を床フレーム（Ｏ）に結合してから、別の床フレーム（Ｎ）を連続的に連結する床フレームの組立工程と；上記工程後、暖房パイプ（Ｓ）を黄土ブロック（Ｑ）の溝（Ｑ−１）と床フレーム（Ｎ）の溝（Ｎ−４）に嵌めて取り付け、暖房ＸＬパイプ固定キャップ（Ｔ）で固定する暖房パイプの設置工程と；上記工程後、角フレーム（Ｆ）に石膏ボード固定フレーム（Ｒ）を設置する工程と；上記工程後、石膏ボード固定フレーム（Ｒ）に石膏ボード（Ｘ）を設置する工程と；上記工程後、床フレーム（Ｎ）の上面に水脈防止板（Ｖ）を設置する工程と；上記工程後、床フレーム（Ｎ）の上面に床暖房（オンドル）の床固定フレーム（Ｕ）を設置する工程と；上記工程後、床暖房（オンドル）の床固定フレーム（Ｕ）に床暖房（オンドル）の床を連続的に固定設置する工程と；上記工程後、石膏ボード固定フレーム（Ｒ）の前面に仕上げフレーム（Ｙ）を設置する工程が提供される。
【発明の効果】
【００１６】
以上説明したように本発明によれば、上記のとおり、床面の水平を精巧に合わせることができ、さらに壁面の垂直も容易かつ迅速にできるものであり、他の乾式暖房システムと差別化して床面に発生される湿気を除去できるようにすることによって快適な環境を提供、使用者の健康を維持できるようにする。
【００１７】
また、熱伝達媒体である暖房用パイプから発散される熱が床フレームに直接伝わるので全体的に素早く暖房が実施され、黄土ブロックが保温役割を果たして熱を持続させるものであり、スチールワイヤーの上にショックアブソーバーを取り付けて床スラブと床材との間に空間を形成して衝撃を緩和することで、室内床から発生される衝撃騒音が床スラブに直接伝達されるのを遮断して層間騒音を減らすことができ、ショックアブソーバーを水平梁フレームの側面に嵌めて組み立てて固定ボルトを省略しており、床板の二重設置を圧縮して単層で設置することで全体的な床断面の厚さが減って層間の高さを減らしており、全体的に構造物を比重の低い非鉄金属であるアルミニウム素材を使って軽量化することで建物の荷重を減らしており、構造物の施工時にピース組立の不安定性を固定クリップ型のピンに替えて床衝撃時の摩擦音を減らしており、ウレタンワイヤーで床板と床板の間の摩擦を減らしており、乾式精密施工によって冬季の施工を可能にして工事期間を短縮しており、また、床暖房（オンドル）の床の施工は床暖房（オンドル）の床固定フレームを使って組み立てられるため、接着剤を省略して室内環境を快適化、床面と壁面の接触部分を仕上げフレームで仕上げて床の仕上げ面と壁面を美麗に装飾できる効果と建築費の節減が可能になる。
【図面の簡単な説明】
【００１８】
【図１】本発明の第１の実施形態にかかる建物内室の乾式温水暖房構造物の分解断面図である。
【図２Ａ】同実施形態にかかる建物内室の乾式温水暖房構造物の断面図である。
【図２Ｂ】同実施形態にかかる建物内室の乾式温水暖房構造物のブラケットの詳細図である。
【図２Ｃ】同実施形態にかかる建物内室の乾式温水暖房構造物の補助ブラケットの詳細図である。
【図２Ｄ】同実施形態にかかる建物内室の乾式温水暖房構造物の角フレームの詳細図である。
【図２Ｅ】同実施形態にかかる建物内室の乾式温水暖房構造物のスチールワイヤーソケット及び水平調整ローラーの詳細図である。
【図２Ｆ】同実施形態にかかる建物内室の乾式温水暖房構造物のスチールワイヤーソケット及び水平調整ローラーの詳細図である。
【図２Ｇ】同実施形態にかかる建物内室の乾式温水暖房構造物のショックアブソーバーの詳細図である。
【図２Ｈ】同実施形態にかかる建物内室の乾式温水暖房構造物のショックアブソーバー及び水平梁フレームの詳細図である。
【図２Ｉ】同実施形態にかかる建物内室の乾式温水暖房構造物の床フレーム及び暖房ＸＬパイプの詳細図である。
【図２Ｊ】同実施形態にかかる建物内室の乾式温水暖房構造物の床暖房（オンドル）の詳細図である。
【図３Ａ】本発明の第１の実施形態にかかる建物内室の乾式温水暖房構造物の交差角度の断面図である。
【図３Ｂ】同実施形態にかかる建物内室の乾式温水暖房構造物のブラケットの詳細図である。
【図３Ｃ】同実施形態にかかる建物内室の乾式温水暖房構造物の補助ブラケットの詳細図である。
【図３Ｄ】同実施形態にかかる建物内室の乾式温水暖房構造物の角フレームの詳細図である。
【図３Ｅ】同実施形態にかかる建物内室の乾式温水暖房構造物のスチールワイヤーソケット及び水平調整ローラーの詳細図である。
【図３Ｆ】同実施形態にかかる建物内室の乾式温水暖房構造物のスチールワイヤーソケット及び水平調整ローラーの詳細図である。
【図３Ｇ】同実施形態にかかる建物内室の乾式温水暖房構造物の水平梁フレームの詳細図である。
【図３Ｈ】同実施形態にかかる建物内室の乾式温水暖房構造物の騒音断熱材及び水平梁フレームの詳細図である。
【図３Ｉ】同実施形態にかかる建物内室の乾式温水暖房構造物の石膏ボード固定フレームの詳細図である。
【図３Ｊ】同実施形態にかかる建物内室の乾式温水暖房構造物の仕上げフレームの詳細図である。
【図４】同実施形態にかかる建物内室の乾式温水暖房構造物の床フレームの取り付け及び床暖房（オンドル）の床の取り付けを示す断面図である。
【図５】同実施形態にかかる建物内室の乾式温水暖房構造物の床フレームの取り付け及びショックアブソーバーを示す断面図である。
【図６】同実施形態にかかる建物内室の乾式温水暖房構造物のスチールワイヤー及びショックアブソーバーの取り付けを示す平面図である。
【図７】同実施形態にかかる建物内室の乾式温水暖房構造物のブラケット固定フレーム、ブラケット、補助フレーム、及び角フレームの取り付けを示す詳細斜視図である。
【図８】同実施形態にかかる建物内室の乾式温水暖房構造物の暖房ＸＬパイプ及び黄土ブロックの取り付けを示す平面図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
以下、本発明の実施の形態を図面に基づき詳細に説明する。
【００２１】
まず、添付図面を参照して本発明の構成を詳細に説明するが、室内壁面の下段に床暖房（オンドル）の床仕上げ基準線を設定して四面に水平に墨出しをし、上記の水平墨出し線に上段が合わせられ、壁面に密着して固定されるように取り付けられるブラケット固定フレーム（Ａ）と；上記のブラケット固定フレーム（Ａ）の前面に取り付けられ、水平調節ローラーを具備する多数のブラケット（Ｂ）と；上記のブラケット（Ｂ）の上面に取り付けられる補助ブラケット（Ｅ）と；上記の補助ブラケット（Ｅ）の上面に取り付けられる角フレーム（Ｆ）と；施工される建物の内室コーナーの床に密着するように取り付けられる２つ以上のスチールワイヤーソケット（Ｇ）と；上記の第１スチールワイヤーソケット（Ｇ）に片方の端を固定され、施工済みのブラケット（Ｂ）に組み立てられている水平調節ローラーに連結されて床面にジグザグ状に取り付けられ、中間に張力を調節できる張力調節装置を具備し、他側が施工済みの第２スチールワイヤーソケット（Ｇ’）に固定するように取り付けられるスチールワイヤー（Ｈ）と；上記のスチールワイヤー（Ｈ）の上面に取り付けられるショックアブソーバー（Ｉ）と；上記のショックアブソーバー（Ｉ）の上段に取り付けられる水平梁フレーム（Ｌ）と；上記の水平梁フレーム（Ｌ）の側面に形成されている突起に掛けて取り付けられる騒音断熱材（Ｍ）と；上記の水平梁フレーム（Ｌ）の上面に取り付けられる床フレーム（Ｎ）と；上記の角フレーム（Ｆ）の上面に施工され、間に暖房パイプ（Ｓ）が挿入される溝が形成された黄土ブロック（Ｑ）と；上記の角フレーム（Ｆ）の上面に取り付けられる石膏ボード固定フレーム（Ｒ）と；上記の石膏ボード固定フレーム上部の溝に取り付けられる石膏ボード（Ｘ）と；上記の床フレーム（Ｎ）と黄土ブロック（Ｑ）上面の溝に取り付けられる暖房パイプ（Ｓ）と；上記の床フレーム（Ｎ）の上面に取り付けられる水脈防止板（Ｖ）と；上記の床フレーム（Ｎ）が取り付けられた床暖房（オンドル）の床固定フレーム（Ｕ）に固定されて水脈防止板（Ｖ）の上面に取り付けられる床暖房（オンドル）の床（Ｗ）と；上記の石膏ボード固定フレーム（Ｒ）の前面に取り付けられる仕上げフレーム（Ｙ）で構成される。
【００２２】
このように構成された本発明の部分別の詳細な構成と実施方法を説明すると以下の通りである。
【００２３】
ブラケット固定フレーム（Ａ）は図２Ｃの（ア）と図３Ｂの（ア）に示すとおり、折り曲げられており、壁面と密着される基準面と建物の床と密着される床面で構成され、上記の基準面の上部には所定の間隔で一定にビス孔（Ａ−１）が形成されており、上記のビス孔（Ａ−１）の下側にブラケット（Ｂ）を支えるための１セットのガイドレールが形成されている。ブラケット固定フレーム（Ａ）は、上記のガイドレールは基準面から前方に突出されて互いに対向する方向に折り曲げられて基準面との間に対向する溝（Ａ−３）を形成する形で構成されている。床面にもブラケット固定フレーム（Ａ）を床に固定するためのビスが貫通する複数のビス孔（Ａ−２）が形成され、床面の上部にブラケット（Ｂ）を支えるための１セットのガイドレールが形成されており、上記のガイドレールは床面から上向きに突出されて互いに対向する方向に折り曲げられて床面との間に対向する溝（Ａ−４）を形成する形で構成される。そして、上記のガイドレールの間には少なくても２つ以上の溝を形成し、上記の溝にはウレタンワイヤー（Ａ−９）を挿入するが、このときウレタンワイヤーの上面は床面より少し高く形成され、床面の下側には多数のビードが形成されて床面の強度を補強し、床スラブと間隔を空けるように形成される。
【００２４】
上記の通り形成されるブラケット固定フレーム（Ａ）は軽量のアルミニウムで製作され、シャーシーのように一定の枠で連続的に生産できるものであり、使用時に必要な長さだけ切断して使うことができる。
【００２５】
ブラケット（Ｂ）は、図２Ｂの（イ）と図３Ｂの（イ）に示すとおり、ブラケット固定フレーム（Ａ）に付着されて固定されるものでり、ブラケット固定フレーム（Ａ）のように折り曲げられており、壁面の上部には水平を調節するための長孔が形成されており、上記の長孔を貫通する水平調節ボルト（Ｃ）によって水平が調節できるようにしている。そして、上記の長孔の下側へとブラケット固定フレーム（Ａ）の基準面に形成されたガイドレールに嵌められる突出部を具備しており、床面の下部には水平調節ローラー（Ｄ）が設置され、上記の水平調節ローラーは床面の上部に突出された水平調節ボルトによって上下に移動できるように設置されるものであり、軽量化のために非鉄金属であるアルミニウムで製作することができる。
【００２６】
補助ブラケット（Ｅ）は、図２Ｃの（ア）と図３Ｃの（ア）に示すとおり、多段で折り曲げられた形で前段と後段には溝（Ｅ−１，  Ｅ−４）が形成されており、上面には前方を向かうように折り曲げられて形のガイドレールが形成されている。そして、上記のガイドレールと補助ブラケット（Ｅ）の上面の間に係止溝（Ｅ−２）が形成されており、補助ブラケット（Ｅ）の下側へと折り曲げられた線端には前方に突出突起（Ｅ−３）が形成されたものであり、軽量化のために非鉄金属であるアルミニウムで製作することができる。
【００２７】
角フレーム（Ｆ）は、図２Ｄの（ア）に示すとおり、上面の終端には石膏ボード固定フレーム（Ｒ）を嵌め込めるガイドレールを形成して上記ガイドレールの内側に係止溝（Ｆ−６，  Ｆ−７）が形成され、上面に前方に向かって係止溝（Ｆ−４）が形成される。そして、線端は順次に折り曲げられて基板突起（Ｆ−２）、（Ｆ−１）が形成されており、下段と床面の間に係止溝（Ｆ−３）があり、床面の終端に突出突起（Ｆ−５）を形成しており、上記の角フレーム（Ｆ）はシャーシーのように一定の枠で連続的に生産できるものであり、使用時に必要な長さだけ切断して使うことができる。
【００２８】
上記のスチールワイヤーソケット（Ｇ）は９０度で折り曲げられたアングルの床にアンカーボルトが挿入される孔（Ｇ−６）が形成されており、上向きに折り曲げられた面にはコレットが貫通されて取り付けられるものであり、上記のコレットは内側でナット（Ｇ−３）で固定され、締めナット（Ｇ−１）によって緩めたり締めたりできる。スチールワイヤーソケット（Ｇ）はナット（Ｇ−３）で固定され、締めナット（Ｇ−１）によって緩めたり締めたりするものであり、上記のコレットにスチールワイヤーを固定するためのものである。
【００２９】
上記のナット（Ｇ−３）はコレットを固定すると同時にスチールワイヤー（Ｈ）の張力を調節できるものであり、スチールワイヤー（Ｈ）を引っ張って張力を強くしたいときにはナットを締めればコレット後方のボルトが後ろに押し込まれながらスチールワイヤー（Ｈ）を引っ張ってくれるので張力が維持できる。
【００３０】
水平梁フレーム（Ｌ）は、図３Ｇの（イ）に示すとおり”コ”の字の形で構成され、上面には縦方向に三角状の溝（Ｌ−５）を形成し、上記の溝（Ｌ−５）にウレタンワイヤー（Ｌ−１）が挿入され、両側面の側壁の外側の上部には係止溝（Ｌ−２）を形成し、上記の係止溝（Ｌ−２）から所定間隔を隔てた下側には突き出たリブを形成する。そして後述の騒音断熱材の台にするための基板突起（Ｌ−３）が形成され、上記の側壁の内側には溝（Ｌ−４）を形成したもので、アルミニウム素材を利用して一定の枠で連続的に生産できるものであり、使用時に必要な長さだけ切断して使うことができる。
【００３１】
床フレーム（Ｏ）は、角フレーム（Ｆ）に組み立てられるもので、床面から上側に伸びた突出突起（Ｏ−１）を具備し、上記の突出突起の間から斜め上向きに伸びた嵌め込み部（Ｏ−３）が形成され、上記の嵌め込み部の下部には係止溝（Ｏ−２）が形成される。また、前方の突出部には三角状の溝（Ｏ−４）が形成され、上記の溝（Ｏ−４）にはウレタンワイヤー（Ｏ−５）が挿入される構造になっており、アルミニウム素材を利用して一定の枠で連続的に生産できるものであり、使用時に必要な長さだけ切断して使うことができる。
【００３２】
床フレーム（Ｎ）はプレートの形態で構成されるもので、プレートの中間に暖房パイプ（Ｓ）が挿入される溝（Ｎ−４）が形成されており、前方と後方には他の床フレーム（Ｎ）と結合するための結合口を具備し、前方の結合口は上面より低い溝の形になり、溝の側壁には中間から斜め上向きに伸びた嵌め込み部（Ｎ−３）が形成され、上記の嵌め込み部の下部には係止溝（Ｎ−９）が形成される。また、前方の突出部には三角状の溝（Ｎ−１４）が形成され、上記の溝（Ｎ−１４）にはウレタンワイヤー（Ｎ−１）が挿入される構造になっており、後方の結合口は前方の結合口に形成された嵌め込み部が挿入される溝（Ｎ−５）を具備する。そして、上記の溝を形成するために斜め下向きに突出される突出部の終端には係止突起（Ｎ−１０）が具備されており、上記の係止突起の内側に三角状の溝（Ｎ−８）が形成され、上記の溝（Ｎ−８）にはウレタンワイヤー（Ｎ−１５）が挿入される構造になっており、アルミニウム素材を利用して一定の枠で連続的に生産できるものであり、使用時に必要な長さだけ切断して使うことができる。
【００３３】
また、上記の黄土ブロック（Ｑ）に関して、その黄土ブロック（Ｑ）の上面には暖房パイプを嵌め込んで設置できる溝（Ｑ−１）は半円型で形成される。また、上記の暖房パイプ（Ｓ）は合成樹脂素材となっており、暖房パイプ（Ｓ）の上面には暖房パイプ固定キャップ（Ｔ）が床フレーム（Ｎ）の係止溝（Ｎ−１１）に突出突起（Ｔ−１）を嵌めて固定される。
【００３４】
また、後方の結合口は上記の前方の結合口に形成された引掛部（Ｎ−３）が嵌め込められる溝（Ｎ−５）の形態で構成され、溝を形成する突出部（Ｎ−１０）の端部には溝（Ｎ−５）が形成され、上記の溝にはウレタンワイヤー（Ｎ−８）が挿入される。
【００３５】
ショックアブソーバー（Ｉ）は四角状の敷板（Ｉ−１０）の上に円筒型の支持口（Ｉ−１３）が形成され、上記の支持口の内部下段の周辺には内側へ突き出る突起（Ｉ−１５）が形成され、上記の突起（Ｉ−１５）にはウレタンリング（Ｉ−９）が乗せられ、上記のウレタンリング（Ｉ−９）の上段にステンレス板（Ｉ−８）が乗せられる。そして、上記のステンレス板（Ｉ−８）の上面には上広下狭の漏斗状のウレタンパッキング（Ｉ−７）が乗せられ、上記のウレタンパッキング（Ｉ−７）の上面にはステンレス板（Ｉ−３）Ｃ上記のステンレス板（Ｉ−３）の上面にはスナップリング（Ｉ−２）と平らな形のウレタンパッキング（Ｉ−１）が組み立てられる。そして、上記の円筒型の支持口の外面には所定の間隔で離隔された突出枠（Ｉ−１２）が少なくとも２つ以上具備され、敷板の下部には上記のスチールワイヤーと接触するように半円型の溝（Ｉ−１８）が形成される。
【００３６】
上記の実施形態では支持台の内部に緩衝装置としてステンレス板（Ｉ−８）と、その上面には上広下狭の漏斗状のウレタンパッキング（Ｉ−７）を取り付けたが、上記のような緩衝装置を多数の層で配列することもでき、その際には支持口の内側の突起（Ｉ−１５）には突出部にウレタンリング（Ｉ−９）が乗せられる。そして、上記のウレタンリング（Ｉ−９）の上段にステンレス板（Ｉ−８）と上広下狭の漏斗状のウレタンパッキング（Ｉ−７）を順次に繰り返して２セット以上多数の列で配列でき、最上段の緩衝装置の上面にスナップリング（Ｉ−２）と平らな形のウレタンパッキング（Ｉ−１）を組み立てることができる。そのため、上部に乗せられる構造物の重量に応じて適切な形のショックアブソーバー（Ｉ）が使用でき、上記の支持口は製作の便宜性のためにパイプの外面にねじ加工をし、敷板にナットを成型して組み立てる方法で製作することもできる。
【００３７】
石膏ボード固定フレーム（Ｒ）は上部側には石膏ボードを嵌め込める溝（Ｒ−１）があり、前面には仕上げフレーム（Ｙ）を嵌め込める係止溝（Ｒ−２）と（Ｒ−３）があり、係止溝（Ｒ−２）の前面には突出突起（Ｒ−７）があり、下段には床暖房（オンドル）の床の設置基準突起（Ｒ−４）と角フレーム（Ｆ）に組み立てられる突出突起（Ｒ−５）と（Ｒ−６）が形成されている。
【００３８】
床暖房（オンドル）の床固定フレーム（Ｕ）はＩビーム状に構成され、上部には三角状の溝（Ｕ−５）を形成し、上記の溝（Ｕ−５）にウレタンパッキング（Ｕ−１）がはめられる。
【００３９】
床暖房（オンドル）の床（Ｗ）は木材及び人造ストーンで製造され、片方には縦方向に係止溝（Ｗ−１）が形成され、他方の壁には突起（Ｗ−２）と（Ｗ−３）が形成されており、仕上げフレーム（Ｙ）は石膏ボード固定フレーム（Ｒ）の前面上段に係止溝（Ｒ−２）と下段の係止溝（Ｒ−３）に嵌め込められる突出突起（Ｙ−２）と（Ｙ−１）があり、上段には係止溝（Ｙ−４）と突出突起（Ｙ−５）が形成されたキャップを組み立てられる突出突起（Ｙ−３）と基板突起（Ｙ−６）が形成されている。上記の通り、構成される本発明の施工過程を添付図面を参照して詳しく説明すると下記の通りである。
【００４０】
まず、図２Ｂの（ア）に示すとおり、ブラケット固定フレーム（Ａ）のガイドレールに形成された係止溝（Ａ−３）と（Ａ−４）の間にブラケット（Ｂ）の突出突起（Ｂ−３，  Ｂ−４）が嵌るようにして押し込むと、ブラケット（Ｂ）はブラケット固定フレーム（Ａ）に組み立てられる。そのため、複数個のブラケット（Ｂ）をブラケット固定フレーム（Ａ）に嵌めて組み立てた後、図７に示すとおり室内壁面の下段に基準点を設定して四面に水平に墨出しをし、墨出し線を基準に横方向へとブラケット固定フレーム（Ａ）の上段（Ａ−７）面を墨出し線と一致するように合わせてから、ブラケット固定フレーム（Ａ）の底面を床面に密着させ、壁側の孔（Ａ−１）を利用してスクリュービス（Ａ−５）で固定してから、床面は孔（Ａ−２）を貫通してアンカーボルト（Ａ−６）で固定することができる。このときにブラケット（Ｂ）を横に押したり引っ張ったりしてブラケットの間の間隔を合わせる。このときにブラケット固定フレーム（Ａ）の上面に設置されたウレタンワイヤー（Ａ−９）はブラケット固定フレーム（Ａ）にブラケット（Ｂ）を押し入れる過程で接触面を最小化し、金属同士が接触しながら発生する摩擦音を減らせるが、互いに結合された状態で緩衝する役割をする。
【００４１】
上記の工程の後、上記のブラケット（Ｂ）の上部に補助ブラケット（Ｅ）を取り付けるが、このときには図２Ｃの（イ）、（ウ）及び図３Ｃの（イ）、（ウ）に示すとおり、補助ブラケット（Ｅ）の後方に形成された溝（Ｅ−１）がブラケット（Ｂ）に形成された四角孔（Ｂ−１）を通過して水平調節ボルト（Ｃ）の中間に形成された溝（Ｃ−１）に嵌め、前方の溝（Ｅ−４）は平調節ローラー（Ｄ）の高さを調節するためのボルト（Ｄ−２）を包み込む形で位置させ、ナット（Ｄ−１）を締め付けて組み立てる。
【００４２】
上記の工程の後、上記の補助ブラケット（Ｅ）の上部に角フレーム（Ｆ）を組み立てるが、このときには図２Ｄの（イ）、（ウ）及び図３Ｄの（イ）、（ウ）に示すとおり、角フレームの下段には床面と離隔されて突出される突出突起（Ｆ−５）を補助ブラケット（Ｅ）の上面に形成された係止溝（Ｅ−２）に角フレーム（Ｆ）の突出突起（Ｆ−５）が挿入される。かかる挿入と同時に補助ブラケット（Ｅ）の前方へと突き出た突出突起（Ｅ−３）が角フレーム（Ｆ）の下部に形成された溝（Ｅ−２）に嵌められるように水平に押し込んで組み立てる。
【００４３】
上記の工程の後、角フレーム（Ｆ）が水平状態を維持できるように水平を調節するが、このときにはブラケット（Ｂ）に形成されたナット（Ｂ−２）に組み立てられている水平調節ボルト（Ｃ）及び水平調節ローラー（Ｄ）の高さを調節するための調節ボルトを締めたり緩めたりして水平を合わせる。これをより詳細に説明すると、ブラケット（Ｂ）の後方に取り付けられた水平調節ボルトを緩める方向に回転させると、上記の水平調節ボルトは上に上がってくる。従って、上記の水平調節ボルトの中間の溝に挿入された補助ブラケット（Ｅ）の後方が持ち上がる方向に回動するものであり、逆に水平調節ボルトを締める方向に回転させると、上記の水平調節ボルトは下に下がって後方が下がっていく方向に回動する。上記のとおり補助ブラケット（Ｅ）の回動に伴ってその上に乗せられた角フレーム（Ｆ）が一緒に移動するので、角フレーム（Ｆ）の後方の水平が調節できるようになり、上記の説明では後方の高さを調節して角フレーム（Ｆ）の水平を調節することを説明したが、前方の水平調節ローラーの高さを調節するための調節ボルトの回転によって前方の高さも調節できるものである。かかる内容は上述した調節方法と同様なので詳細な説明は省略する。
【００４４】
上記の工程の後、建物内室にスチールワイヤーを取り付けるが、このときはまず建物の内室の片方の床面に対応される位置に２つのスチールワイヤーソケット（Ｇ，Ｇ’）を取り付ける。これはスチールワイヤーソケット（Ｇ，Ｇ’）を構成するアングル（Ｇ−５）の床面に形成された孔（Ｇ−６）を利用してアンカーボルト（Ｇ−７）で固定すると、スチールワイヤーソケット（Ｇ，Ｇ’）は床スラブに堅く固定される。
【００４５】
上記の工程の後、上記のスチールワイヤーソケット（Ｇ）のコレットにスチールワイヤー（Ｈ）の片方を固定してから、上記のスチールワイヤー（Ｈ）を対向する壁に設置されたブラケット（Ｂ）に組み立てられている水平調節ローラー（Ｄ）に掛けて連結し、続いて反対側の壁に設置されたブラケット（Ｂ）に組み立てられている水平調節ローラー（Ｄ）に掛けて連結してジグザグ状に床に取り付けられるようにする。かかる工程の後、他方の終端は上記のスチールワイヤーソケット（Ｇ）と対応する位置に設置されたスチールワイヤーソケット（Ｇ’）に結合する。この過程でスチールワイヤー（Ｈ）は水平を維持しながらぴんとするように張力を調節できるようにするが、スチールワイヤー（Ｈ）を引っ張って張力を強くしたいときにはナットを締めればコレット後方のボルトが後ろに押し込まれながらスチールワイヤー（Ｈ）を引っ張ってくれるので張力が維持できるようになる。
【００４６】
上記の実施例では、スチールワイヤーソケット（Ｇ）に取り付けられた張力調節ナットを利用して張力を維持できるようにしてあるが、場合によっては別途の張力調節装置をスチールワイヤーの中間に取り付けることもできる。
【００４７】
上記の通り、張力が調節されたスチールワイヤー（Ｈ）は水平が維持できるようにし、上記のスチールワイヤー（Ｈ）の水平が一致しない場合には水平を合わせられるように調節するが、このときには水平調節ローラー（Ｄ）を支える水平調節ボルトを緩めたり締めたりすることで水平調節ローラー（Ｄ）の高さを変えて調節するものであり、このような調節方法は上記のブラケットに組み立てられる角フレームの水平調節方法と同様である。
【００４８】
上記のような過程によって片方のスチールワイヤー（Ｈ）を取り付けた後は上記のスチールワイヤー（Ｈ）と交差する方向に別のスチールワイヤー（Ｈ）を取り付けるが、この過程も前述の過程と同様なので詳細な説明は省略する。
【００４９】
上記の通り、スチールワイヤー（Ｈ）を設置し終わったら、水平梁フレーム（Ｌ）を角フレーム（Ｆ）に所定の間隔で設置するが、このときにはまず水平梁フレーム（Ｌ）の長さを設定、切断して水平梁フレーム（Ｌ）の側壁の内側に形成された溝（Ｌ−４）に縦方向に必要数字だけのショックアブソーバー（Ｉ）を結合した後、終端が両側の壁面に設置された角フレーム（Ｆ）の基板突起（Ｆ−１）に乗せられるように設置し、この時水平梁フレーム（Ｌ）の上面は壁面に設置された角フレーム（Ｆ）の上面と一致させる。
【００５０】
上記のような状態ではショックアブソーバー（Ｉ）の支持口の外側に突き出た枠が水平梁フレーム（Ｌ）の側壁の内側に形成された溝（Ｌ−４）に嵌められる形で組み立てられ、多数のショックアブソーバー（Ｉ）は水平梁フレーム（Ｌ）の下部にスライドされて移動可能な状態である。
【００５１】
上記のような状態では、ショックアブソーバー（Ｉ）を移動してスチールワイヤー（Ｈ）が交差し合う地点の上部に位置させた後、図２Ｇと２ｇの（ア）、（イ）に示すとおり、ショックアブソーバー（Ｉ）を取り付ける。このときにはショックアブソーバー（Ｉ）の敷板の下部に形成された突出部に形成された半円型の溝（Ｉ−１８）がスチールワイヤー（Ｈ）を包むようにしてからクリップを利用して固定するもので、固定ピン（Ｊ）の溝（Ｊ−２）をスチールワイヤー（Ｈ）に掛ける。そして、引っ掛け（Ｊ−１）をショックアブソーバー（Ｉ）の下段の突出突起（Ｉ−１６）に掛けて押し込んで固定する。この時、（Ｊ−３）はクリップの役割をし、ショックアブソーバー（Ｉ）のウレタンパッキング（Ｉ−１）は水平梁フレーム（Ｌ）内部の底面とショックアブソーバー（Ｉ）の上面の間の緩衝する役割をし、ウレタンリング（Ｉ−１１）は水平梁フレーム（Ｌ）内部の側面とショックアブソーバー（Ｉ）の側面の間で緩衝する役割をする。また、円型ステンレス板（Ｉ−３）の上から受けた衝撃を円型ウレタンパッキング（Ｉ−５）の縁部分が受けて円型ウレタンパッキング（Ｉ−５）部分が下にある円型ステンレス板（Ｉ−６）の中心部に伝達されながら１次衝撃が吸収され、円型ステンレス板（Ｉ−６）に上から伝達された衝撃は円型ウレタンパッキング（Ｉ−７）の縁部分が受けて円型ウレタンパッキング（Ｉ−７）部分が下にある円型ステンレス板（Ｉ−８）の中心部に伝達されながら２次的に衝撃を吸収する役割をする。
【００５２】
上記の通り、水平梁フレーム（Ｌ）とショックアブソーバー（Ｉ）の設置が完了したら、上記の水平梁フレーム（Ｌ）の間に騒音断熱材（Ｍ）を取り付けるが、上記の騒音断熱材（Ｍ）は図３Ｉに示すとおり木材合板の上にウレタン板を圧縮させた二重騒音断熱版であり、図３Ｈに示すとおり水平梁フレーム（Ｌ）の側面へ突き出た基板突起（Ｌ−３）に上記の騒音断熱材（Ｍ）の端部が乗るように掛けて取り付ける。
【００５３】
上記の工程の後、角フレーム（Ｆ）の上部に黄土ブロック（Ｑ）と床フレーム（Ｏ）及び床フレーム（Ｎ）を設置するが、これをより詳細に説明すると図２Ｉの（イ）に示すとおり、角フレーム（Ｆ）の外側の上面に黄土ブロック（Ｑ）を順に設置し、上記の黄土ブロック（Ｑ）の内側に床フレーム（Ｏ）を取り付ける。このときには床フレーム（Ｏ）の下部で外側に突き出た突出突起（Ｏ−１）を角フレーム（Ｆ）の上面の係止溝（Ｆ−４）に合わせて押し込んで嵌め込み、水平梁フレーム（Ｌ）の側面の溝（Ｌ−２）に固定ピン（Ｐ）の引っ掛け（Ｐ−２）を掛け、床フレーム（Ｏ）の係止溝（Ｏ−６）に固定ピン（Ｐ）の引っ掛け（Ｐ−１）を掛けて押し込んで固定する。かかる工程の後、床フレーム（Ｏ）の突出突起（Ｏ−３）に別の床フレーム（Ｎ）を順に組み立てるが、このときには床フレーム（Ｎ）を斜めの方向に進めて後方の結合口に形成された溝（Ｎ−５）に床フレーム（Ｏ）の嵌め込み部（Ｏ−３）が挿入される。かかる挿入が行われてから前方を下げると床フレーム（Ｎ）の終端に形成された係止突起（Ｎ−１０）が床フレーム（Ｏ）の嵌め込み部の下部に形成された係止溝（Ｏ−２）に嵌って引っかかるので、それ以上回転されないようにするのと同時に、結合されて床フレーム（Ｎ）の上面が平面になる。
【００５４】
この時、接触し合う面に設置されたウレタンワイヤー（Ｏ−５）は床フレーム（Ｎ）の床面と接触する過程で騒音を防ぎ緩衝する役割をし、ウレタンワイヤー（Ｎ−１５）は床フレーム（Ｎ）の突出部と接触する過程で騒音を防ぎ緩衝する役割をする。
【００５５】
上記のような過程を通して床フレーム（Ｏ）に１つの床フレーム（Ｎ）が組み立てられるが、その後は床フレーム（Ｎ）の前方に別の床フレーム（Ｎ）を連続的に設置しておけばよい。これは前方の結合口が床フレーム（Ｏ）と同じく構成されているので、同じ方法で続けて組み立てればよい。
【００５６】
上記の通り、床フレーム（Ｏ，Ｎ）の設置が完了したら、暖房パイプ（Ｓ）を設置する。このときには図２Ｉの（ウ）と図８に示すとおり、暖房パイプ（Ｓ）を黄土ブロック（Ｑ）の溝（Ｑ−１）と床フレーム（Ｎ）の溝（Ｎ−４）に嵌めて取り付け、暖房パイプ（Ｓ）の上面には床フレーム（Ｎ）の係止溝（Ｎ−１１）に暖房パイプの固定キャップ（Ｔ）の突出突起（Ｔ−１）を合わせて押し嵌めて固定する。この時黄土ブロック（Ｑ）は暖房パイプ（Ｓ）の熱の損失を防ぐ保温の役割をし、床フレーム（Ｎ）の突出突起（Ｎ−１２）は暖房パイプ（Ｓ）の底面を支えて床フレーム（Ｎ）から空間を空けるので、暖房パイプ（Ｓ）の熱が床フレーム（Ｎ）の下に発散されるのを遮断する役割をする。
【００５７】
上記の工程の後、角フレーム（Ｆ）に石膏ボード固定フレーム（Ｒ）を組み立てる。このときには図３Ｉの（イ）に示すとおり、角フレーム（Ｆ）の係止溝（Ｆ−７）に石膏ボード固定フレーム（Ｒ）の突出突起（Ｒ−６）を嵌めて前のほうに下げると、角フレーム（Ｆ）の係止溝（Ｆ−６）に石膏ボード固定フレーム（Ｒ）の突出突起（Ｒ−５）が組み立てる。
【００５８】
上記の工程の後、薄板のロールで形成される水脈防止板（Ｖ）を図２Ｊに示すとおり床フレーム（Ｎ）の上面に敷いて設置する。
【００５９】
上記の工程の後、床暖房（オンドル）の床（Ｗ）を取り付けるが、これは図２Ｊの（ウ）に示すとおり、床暖房（オンドル）の床（Ｗ）の突起（Ｗ−３）を石膏ボード固定フレーム（Ｒ）の下段の突起（Ｒ−４）へ押し合わせ、反対側を低くして床フレーム（Ｎ）の上面に密着し、床暖房（オンドル）の床固定フレーム（Ｕ）の突出突起（Ｕ−４）を床フレーム（Ｎ）の溝（Ｎ−６）、突出突起（Ｕ−２）は床暖房（オンドル）の床（Ｗ）の係止溝（Ｗ−２）に一緒に嵌めて後ろに押すと床フレーム（Ｎ）の係止突起（Ｎ−１３）に床暖房（オンドル）の床固定フレーム（Ｕ）の突起（Ｕ−３）が引っ掛けられて固定される。
【００６０】
この時図２Ｊの（ウ）と図４の（イ）に示すとおり、床暖房（オンドル）の床（Ｗ）の組み立て時には、床暖房（オンドル）の床固定フレーム（Ｕ）の突出突起（Ｕ−２）に嵌めて組み立てる方法であり、両側での組立・解体を可能にしており、木材  床暖房（オンドル）の床（Ｗ）が夏季の湿気に延びて接触部分の突起（Ｗ−２）と（Ｗ−２）が上に突きあがってくることに備え、床暖房（オンドル）の床固定フレーム（Ｕ）のウレタンパッキング（Ｕ−１）が床暖房（オンドル）の床（Ｗ）の突起（Ｗ−２）と（Ｗ−２）の間に嵌って一定の間隔で離れて組み立てられる。
【００６１】
上記の工程の後、仕上げフレーム（Ｙ）を石膏ボード固定フレーム（Ｒ）に設置するが、このときには図３Ｊの（イ）に示すとおり、石膏ボード固定フレーム（Ｒ）の係止溝（Ｒ−２）と（Ｒ−３）に仕上げフレーム（Ｙ）の突出突起（Ｙ−２）と（Ｙ−１）を嵌め込んで下に下ろすと固定される。
【００６２】
この時仕上げフレーム（Ｙ）のコーナーの組立時に互いに一致するように４５度斜めに切断し、接し合った時に互いを一致させてコーナー部分の仕上げをする。
【００６３】
上記のような過程を通して施工が完了される。上記の通りに施工する場合、乾式精密施工によって冬季の施工を可能にして工事期間を短縮しており、また、床暖房（オンドル）の床の施工は床暖房（オンドル）の床固定フレームを使って組み立てられるため、接着剤を省略して室内環境を快適化、床面と壁面の接触部分を仕上げフレームで仕上げて床の仕上げ面と壁面を美麗に装飾できる効果と建築費の節減が可能になる。
【００６４】
本発明は、建物内室の乾式温水暖房構造物及びその施工方法に関する。比重が低く熱伝導率が高い非鉄金属であるアルミニウム素材を構造物の主素材にして乾式組立式施工によって建物の荷重を減らしており、温水暖房過程で熱伝導が素早く起きるように熱効率を高めており、組立式空間施工方法で施工を容易にして施工時間を短縮しており、床スラブの直接的な衝撃を遮断して層間騒音を減らしており、床断面の高さを最小化して建物の層間高さを減らしており、底面に湿気が停滞するのを防いで悪臭の発生と蟲の寄生を防止しており、構造物を乾式化して季節に関係なく常時施工ができるようにした、建物内室の乾式温水暖房構造物及びその施工方法に関するものである。
【００６５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６６】
Ａ    ブラケット固定フレーム
Ｂ    ブラケット
Ｃ    水平調節ボルト
Ｄ    水平調節ローラー
Ｅ    補助ブラケット
Ｆ    角フレーム
Ｇ    スチールワイヤーソケット
Ｈ    スチールワイヤー
Ｉ    ショックアブソーバー
Ｊ    固定ピン
Ｋ    ウレタンパッキング
Ｌ    水平梁フレーム
Ｍ    騒音断熱材
Ｎ    床フレーム
Ｏ    床フレーム
Ｐ    固定ピン
Ｑ    黄土ブロック
Ｒ    石膏ボード固定フレーム
Ｓ    暖房ＸＬパイプ
Ｔ    暖房ＸＬパイプ固定キャップ
Ｕ    床暖房（オンドル）の床固定フレーム
Ｖ    水脈防止板
Ｗ    床暖房（オンドル）の床
Ｘ    石膏ボード
Ｙ    仕上げフレーム
【図１】
2010248868.tif 000003
【図２Ａ】
2010248868.tif 000004
【図２Ｂ】
2010248868.tif 000005
【図２Ｃ】
2010248868.tif 000006
【図２Ｄ】
2010248868.tif 000007
【図２Ｅ】
2010248868.tif 000008
【図２Ｆ】
2010248868.tif 000009
【図２Ｇ】
2010248868.tif 000010
【図２Ｈ】
2010248868.tif 000011
【図２Ｉ】
2010248868.tif 000012
【図２Ｊ】
2010248868.tif 000013
【図３Ａ】
2010248868.tif 000014
【図３Ｂ】
2010248868.tif 000015
【図３Ｃ】
2010248868.tif 000016
【図３Ｄ】
2010248868.tif 000017
【図３Ｅ】
2010248868.tif 000018
【図３Ｆ】
2010248868.tif 000019
【図３Ｇ】
2010248868.tif 000020
【図３Ｈ】
2010248868.tif 000021
【図３Ｉ】
2010248868.tif 000022
【図３Ｊ】
2010248868.tif 000023
【図４】
2010248868.tif 000024
【図５】
2010248868.tif 000025
【図６】
2010248868.tif 000026
【図７】
2010248868.tif 000027
【図８】
2010248868.tif 000028